(57)【要約】      （修正有）【課題】カーテンに直接マグネットを付けることにより、カーテン止めのフックを壁に付けずに済み、束ねる布を無くすことができ、束ねる場所を自由にする事ができ、インテリアのデザインも替える事が出来るカーテン止め収納ラクチンマグネットを提供する。【解決手段】カーテン止め基部１に伸縮自在の紐２とフック３を備え、カーテン止め基部の裏面にクリップ５を付け、フックが出る場所の反対側にも小型クリップ４を付け、カーテン止め基部の表面７もしくはカーテン止め基部の表面に合体させる物の少なくとも一方にマグネット１２を付け、表面に合体させる物の横にフックを引っ掛ける場所を付ける。これにより、カーテンに直接、フックやマグネットで引っ付けて、自由にどこからでもカーテンを束ねる事が出来るもので、引っ掛けた部分もインテリアを自由に替える事が出来る。【選択図】図１
0003211507.tif 000002
【実用新案登録請求の範囲】
【請求項１】
カーテン止め基部に伸縮自在の紐とフックを備え、カーテン止め基部の裏面にクリップを付け、フックが出る場所の反対側にも小型のクリップを付け、カーテン止め基部の表面もしくはカーテン止め基部の表面に合体させる物の少なくとも一方にマグネットを付け、表面に合体させる物の横にフックを引っ掛ける場所を付けたことを特徴とするカーテン止め収納ラクチンマグネット。
【請求項２】
カーテン止め基部の伸縮自在の紐とフックにストッパーが付いて、どんな長さでも紐を止める事が出来ることを特徴とする請求項１記載のカーテン止め収納ラクチンマグネット。
【請求項３】
カーテン止め基部や合体部分に填めるケースは、ケースにマグネットを着脱する事が可能で、マグネットを装着していない時は、カーテン止め基部に直接装着する事ができ、またケースは形を変える事ができ、プラスチックケースやゴムケースや樹脂製のケースなど、素材を替える事が出来ることを特徴とする請求項１記載のカーテン止め収納ラクチンマグネット。
【請求項４】
ケースは、マグネットを装着出来る部分と反対部分に穴があり、その穴にフックが使えるようにはめ、写真などを入れるケースをはめる事ができ、自由に何でもはめ込む事が出来ることを特徴とする請求項１記載のカーテン止め収納ラクチンマグネット。
【請求項５】
ケースのマグネットを入れるところの外周に２個以上の穴を等間隔になるように作り、その穴へフックなどを掛ける事が出来ることを特徴とする請求項１記載のカーテン止め収納ラクチンマグネット。
【請求項６】
カーテン止め基部から出る紐の長さがわかるように、紐の色を変え、紐の色で長さを測れるようにしてあることを特徴とする請求項１記載のカーテン止め収納ラクチンマグネット。
【考案の詳細な説明】
【技術分野】
【０００１】  本考案は、マグネットや伸縮自在の紐を設け、デザインも替えることのできるカーテン止め具に関するものである。
【背景技術】
【０００２】  カーテンを束ねるとき、フックを壁に取り付け、布を用意してフックに掛けていて無駄なスペースを作っていた。
【先行技術文献】
【特許文献】
【０００３】
【特許文献１】特開平０８−２０５９９１号  公報
【特許文献２】実用新案登録  第３０９０２３２号  公報
【考案の概要】
【考案が解決しようとする課題】
【０００４】  カーテン布掛けフックは壁に取り付けるのに建築業者の手間がかかるし、費用もかかる。また、カーテン布掛けフックなので、つまずいたときなど目に突いたりして危険である。また、カーテン布掛けフックや布共に用意をしないといけないので、コストもかかってしまう。更に、布はカーテン布掛けフックに掛けていても無くなる事があるし、束ねる場所が一定になってしまい、デザインも布を買わないと一定になってしまう。従って壁にカーテン布掛けフックを取り付けず布を無くしデザインを取り替える事ができ、直接カーテンに取り付ける物の誕生で、前述の欠点を解決しようとするものである。
【課題を解決するための手段】
【０００５】  本考案は、カーテン止め基部の中に、伸縮自在の紐を収納させ、その紐にフックを取り付け、更にマグネットをカーテン止め基部か、カーテン止め基部に合体させる物の少なくとも一方に、マグネットを取り付け、カーテン止め基部に合体させる物にフックを取り付ける物を付ける。更に外側のカーテン止め基部に合体させる物へデザインを取り付け可能にしてインテリアも替えることができるようにした。また、カーテンに取り付け保管でき、持ち運びもコンパクトで便利である。これにより、壁に掛けるカーテン布掛けフックが無くなり、危険でないしコストも抑えることができ、問題を解決することができる。
【考案の効果】
【０００６】  上述のように、本考案のカーテン止め収納ラクチンマグネットはカーテンに直接装着することができ、取り外しが可能で、壁に傷を付けなくてよく、カーテン布掛けフックを付けなくてすみ、危険でないし、束ねる布もいらず場所も取らず、コストを抑えることが出来る。【０００７】  カーテンを束ねる位置を上下左右あらゆる方向に移動でき、どこでも装着が可能で、持ち運びもベルトなどに装着ができる。また、近くに鉄製の物が有れば付けるだけで簡単に保管できる。【０００８】  子供でも低い所から簡単にカーテンを束ねることが可能である。カーテン止め基部はプラスチック製や金属製やゴム製や樹脂製等で出来ている。マグネットがクリップと反対側に付いているので、合体部分を樹脂製ケースやプラスチックケースやゴムケースにし、マグネットを取り外し可能にすることによって、カーテン止め基部に合体する。【０００９】  マグネットが合体側になくてもケースになっているので、カーテン止め基部と合体する事が出来る。合体時に、ケースへマグネットを付けないときは、カーテン止め基部の紐とフックが出る場所とは、反対の場所にクリップの小型が付いているので、クリップで更に頑丈に固定することが出来る。【００１０】  紐とフックの部分は、クリップ側とマグネット側へ寄せる事が出来るし、ストッパーが付いているので、長さを調整する事が出来る。更に、紐の色を等間隔で色分けして、長さを測ることも出来る。【００１１】  合体側のケースはマグネットを出し入れ出来る側とは反対側に写真などを出し入れ出来る物も装着可能で、ケース自体に花などを付けインテリアとして飾る事も出来る。【００１２】  カーテン止め基部も合体部分も取り外しが出来るので、埃をすぐに拭けて掃除をしやすい。【００１３】  インテリアも取り外しが可能で、デザインも替えられる。また、細い紐で束ねているので目立たない。【００１４】  更に柱や壁が金属製である時や、家を建てるとき、柱に金属やマグネットを埋め込み、そのあとクロスなどの壁紙を張ればマグネットで柱に固定することも可能で、カーテン布掛けフック等を付けずにすみ、傷も付かない。
【図面の簡単な説明】
【００１５】
【図１】本考案のカーテン止め収納ラクチンマグネットの全体図である。
【図２】同カーテン止め収納ラクチンマグネットの断面図。
【図３】同カーテン止め収納ラクチンマグネットに取り付けるケース全体図。
【図４】同カーテン止め収納ラクチンマグネットのマグネットタイプ図。
【図５】同カーテン止め基部のブタの顔型タイプ図。
【図６】同カーテン止め基部とケースに着脱可能な合体部分図。
【考案を実施するための形態】
【００１６】  カーテン止め基部のクリップ側をカーテンの裏側に装着して、合体部分と本体を、カーテン止め基部に収納されている紐の先に付いているフックで繋げる。合体部分をカーテン生地に一周させてマグネットの力で合体させ、カーテンを束ねる。その時に合体部分はプラスチック製やゴム製や樹脂製で、カーテンに対して垂直部分のプラスチック製、ゴム製、樹脂製、全てに外周へ１個以上の輪があるように作り、その輪へフックを掛ける。
【００１７】  マグネットを本体部分と合体するプラスチックケースやゴムケースや樹脂製ケースの部分へ着脱する事によって、簡単に取り外し可能なので、デザインを替え、インテリアを替える事が出来る。
【００１８】  合体部分をカーテンの裏側へ付けることにより、上下左右のあらゆる場所からカーテンを束ねることができる。この時に表側になったクリップにもインテリアを付けることができる。更に、プラスチックケースやゴムケースや樹脂製ケースも付けることが可能で自由に着脱がでる。
【００１９】  カーテン止め基部のマグネットでマグネットの玩具を付けることもでき、ケースに写真などの入れ物を挿入することも出来、ケースにインテリアも幅広く付けることが可能になる。
【実施例】
【００２０】  以下、添付図面に従って一実施例を説明する。カーテンにカーテン止め基部１のクリップ５を取り付け、カーテン止め基部１に収納されている伸縮自在のフック３付き紐２でカーテンを一周させて束ねる。その時に紐２の色を等間隔で色分けする。例えば１０センチ間隔で色分けするのもよい。更にカーテン止め基部表面７にプラスチック製やゴム製や樹脂製のケース１３を直接填める事が出来るし、マグネット１２を着脱することも可能で、カーテン止め基部１からのフック３を掛ける穴部分１１を全てのケース１３に作っておき、そこに引っ掛ける。フック３を掛ける穴部分１１はケース１３のマグネット１２を着脱する部分の外周に穴部分１１を開ける。穴部分１１は外周に等間隔になるよう、少なくとも２個以上開ける。【００２１】  また、カーテン止め基部表面７には、マグネットの玩具１９を取り付けることも出来る。カーテン止め基部表面７に填めるケース１３はケース上部１６に写真などを入れることも出来る。カーテン止め基部表面７に填める物はケース１３になっていて、マグネット１２を着脱する事も可能だが、マグネット１２がなくてもカーテン止め基部１の表裏にケース１３をはめる事が出来、ケース１３のマグネット１２を着脱する側とは反対の部分に写真などのインテリア用品１０をはめる事も可能で、カーテン止め基部表面に直接、インテリア用品１０を取り付ける事も出来るので、カーテンと同じ生地や似たような生地を付ける事も可能になる。【００２２】  カーテンの裏へケース１３を付けるようにし、どのケース１３を使うにしても着脱可能なマグネット１２を装着して、カーテン止め基部１をケース１３へ合体させ紐２を伸ばして、カーテン止め基部１の紐２とは反対の場所に小型クリップ４を付け、引っ掛けるようにする。また、紐２の伸縮自在をストッパー６で押える事も可能だ。また、カーテン止め基部１のクリップ５側にプラスチック製やゴム製や樹脂製のケース１３を填め、ケース１３のクリップ５に填めた側とは反対の場所へマグネット１２を入れる事も可能。マグネット１２を入れない場合は、磁力から離れるので小さい時計などの、電化製品も付ける事が出来る。【００２３】  カーテンへ表裏マグネットカーテン止め基部１５を付けるときは、磁石の強力な方１８をカーテンの表生地に向けて、裏からカーテンを押さえるマグネット１２を付ける。その時に取り付ける場所は自由で、どの場所からでもカーテンを束ねることが可能になり、フック３が付いた紐２を伸ばして、カーテン生地を一周させてカーテン止め基部１の小型クリップ４に固定させると、カーテンが束ねられる。【００２４】  何か所もカーテンを束ねたい時は何個でも使ってよい。また、カーテンの左端と右端の表側にカーテン止め基部１のクリップ５を装着して、カーテンの裏でマグネット同士をくっつけると、カーテンの表面に紐などで束ねていないにも関わらず、カーテンを収納させる事が出来る。【００２５】  カーテン止め基部１の小型クリップ４と紐２のフック３を外すだけで、自動で紐２が戻ってくるので、手間がかからない。【００２６】  表裏にマグネットが付いているカーテン止め基部１５のとき、カーテンの表側にあるマグネット８を裏よりも小さくすること���よって、裏側の磁力が大きいマグネット１８とマグネット１２入りケース１３でカーテンを挟み、マグネットの玩具１９やカーテン用に作ったインテリア用品１０を付けることができ、重たい物はマグネットで引っ付かない様にして、裏のマグネット１８をカーテンから剥がれないようにした。【００２７】  プラスチック製やゴム製や樹脂製の穴付きケース１３を、カーテン止め基部１にも表裏マグネットカーテン止め基部１５にも取り付けることにより、磁石で壊れそうな物やマグネット以外のインテリア用品１０も取り付けが出来る様にした。【００２８】  表裏マグネットカーテン止め基部１５の裏のマグネット１８にも、同じプラスチック製やゴム製や樹脂製の穴付きケース１３を取り付ける事により、鉄の壁にどちらからでも固定することが出来るようにした。【００２９】  カーテン止め基部１から出る紐２とフック３は紐２以外の物でも良く、例えばワイヤーでも良い。フック３に関しても一つのフック３にこだわらず、フック３以外のものでも良い。【００３０】  カーテン止め基部１からは紐２とフック３が出るが、出る場所は３６０度、一周どの部分からも出すことができるし、上下にも移動２０できる。更にマグネット部分の真ん中を紐２とフック３が出る場所にすることも出来る。【００３１】  カーテン止め収納ラクチンマグネットはカーテン止め基部１と合体部分からなっているが、形や大きさは丸でなくとも、小さくなくとも、どんな形でも良く、例えば四角や三角やハートや星でも良く、大きさも大きくても、小さくても、自由である。【００３２】  カーテン止め基部１と合体部分は大きさや形は自由に作る事が出来る。例えばキャラクターの物でも、ブタの顔の形１７でも大丈夫である。また、紐２とフック３が出る場所もブタの鼻や口や耳から出す事が出来る。【００３３】  カーテン止め基部１と合体部分は光を出すことも出来、カーテンのどこにでも付ける事が出来るので部屋の明かりにもなる。また、防犯ブザーにもなる。【００３４】  カーテン止め基部１からの紐２とフック３を伸縮させると、電気を手動で発電し、ケータイ、スマホを充電する事が出来る。【００３５】  カーテン止め基部１に填めるケース１３の外周にフック３を掛ける輪１４を付けて、そこにフック３を掛けることができる。【００３６】  寝室などでカーテンを隙間なく閉じたい時は、閉じたい間にカーテン止め基部１を右側、左側に付けて、カーテン止め基部１同士をくっつけることで、隙間を閉じることができる。【００３７】  カーテン止め以外にも、自分の写真などを入れて何かをまとめるときに、カーテン止め基部１にインテリア用品１０を付ければ、自分の目印になる。例えば、傘置き場で傘の目印や、カバン置き場でカバンの目印になる。【００３８】  カーテン上部にカーテン止め基部１のクリップ５を掛けて紐２を下に伸ばし、カーテンの下から１周させて、フック３を小型クリップ４に掛けると、上下のカーテンの開閉も出来る。【００３９】  カーテン上部にカーテン止め基部１のクリップ５を掛けて紐２を下に伸ばす前に、フック３をマグネット１２付きケース１３に掛けてから、カーテンの下へ１周させて、カーテン止め基部１に合体させると、上下のカーテンの開閉も出来る。【��０４０】  カーテンを上にまくるとき、カーテン止め基部１をカーテンの上下に付けて裏で合体させるか、紐２とフック３を伸ばしてカーテン止め基部１に付けることによって、カーテンの表側に紐２が見えずに、カーテンを上下する事が出来る。【００４１】  マグネット１２は中心に物等を入れる事が出来るように、穴が空いている。
【符号の説明】
【００４２】１    カーテン止め基部
２    紐
３    フック
４    小型クリップ
５    クリップ
６    ストッパー
７    カーテン止め基部表面
８    内蔵マグネット
９    ケースの中の穴
１０  インテリア用品
１１  ケースの外周穴
１２  穴開きマグネット
１３  ケース
１４  ケースのフック掛ける輪
１５  表裏マグネットカーテン止め基部
１６  ケース上部
１７  ブタの顔型カーテン止め基部
１８  磁力強力マグネット
１９  マグネットの玩具
２０  カーテン止め基部の中に収納されている紐の可動域
【図１】
0003211507.tif 000003
【図２】
0003211507.tif 000004
【図３】
0003211507.tif 000005
【図４】
0003211507.tif 000006
【図５】
0003211507.tif 000007
【図６】
0003211507.tif 000008